(57)【要約】【課題】手洗い吐水管と給水管との間からの漏水が内タンクと外タンクとの間に流れ込まず、タンク外部への漏水を防止できる手洗い付き洗浄装置を提供すること。【解決手段】上部が開口した外タンク２１と、外タンク２１の開口を覆う手洗い鉢３と、手洗い鉢３に配置されて手洗い用の水を吐出する手洗い吐水管４と、外タンク２１の内部に配置され、洗浄水を貯留すると共に上部が開口した内タンク２２と、内タンク２２の内側から手洗い吐水管４へ水を供給する給水管７と、を有し、給水管７が手洗い吐水管４の内部に挿入されて接続される手洗い付き洗浄装置１であって、内タンク２２の内側に、手洗い吐水管４と給水管７との間からの漏水を受けて内タンク２２に流入させる水受け壁部８２が配置され、水受け壁部８２の上端８２ａは、内タンク２２の上端２２ａよりも上方に配置されると共に、内タンク２２よりも平面方向の外側に張り出すように配置される。【選択図】図４
2019210705.tif 000002
【特許請求の範囲】
【請求項１】
上部が開口した外タンクと、
前記外タンクの前記開口を覆うように配置される手洗い鉢と、
前記手洗い鉢に配置され、前記手洗い鉢へ手洗い用の水を吐出する手洗い吐水管と、
前記外タンクの内部に配置され、洗浄水を貯留すると共に上部が開口した内タンクと、
前記内タンクの内側から前記手洗い吐水管へ水を供給する給水管と、を有し、
前記給水管が、前記手洗い吐水管の内部に挿入されて接続される手洗い付き洗浄装置であって、
前記内タンクの内側に、前記手洗い吐水管と前記給水管との間からの漏水を受けて前記内タンクに流入させる水受け壁部が配置され、
前記水受け壁部の上端は、前記内タンクの上端よりも上方に配置されると共に、前記内タンクよりも平面方向の外側に張り出すように配置される、手洗い付き洗浄装置。
【請求項２】
前記給水管は、蛇腹部を有し、
前記水受け壁部の上端は、前記蛇腹部の上端と同一又は前記蛇腹部の上端よりも上方に配置される、請求項１に記載の手洗い付き洗浄装置。
【請求項３】
前記水受け壁部は、前記内タンクよりも平面方向の外側に向けて広がるテーパー状に形成され、前記内タンクの側壁部と上下方向で重なっている、請求項１又は２に記載の手洗い付き洗浄装置。
【請求項４】
前記内タンクは、前記内タンクの前記開口を覆う蓋体を有し、
前記蓋体は給水管挿通穴を有し、前記給水管挿通穴に前記給水管が挿通され、
前記水受け壁部は、前記給水管挿通穴に取り付けられている、請求項１〜３のいずれか１項に記載の手洗い付き洗浄装置。
【請求項５】
上部が開口した外タンクと、
前記外タンクの前記開口を覆うように配置される手洗い鉢と、
前記手洗い鉢に配置され、前記手洗い鉢へ手洗い用の水を吐出する手洗い吐水管と、
前記外タンクの内部に配置され、洗浄水を貯留すると共に上部が開口した内タンクと、
前記内タンクの内側から前記手洗い吐水管へ水を供給する給水管と、を有し、
前記給水管が、前記手洗い吐水管の内部に挿入されて接続される手洗い付き洗浄装置であって、
前記内タンクの内側に、前記手洗い吐水管と前記給水管との間からの漏水を受けて前記内タンクに流入させる水受け部材が配置され、
前記給水管は、蛇腹部を有し、
前記水受け部材の上端は、前記蛇腹部の上端と同一又は前記蛇腹部の上端よりも上方に配置される、手洗い付き洗浄装置。
【発明の詳細な説明】
【技術分野】
【０００１】
本発明は、手洗い用吐水管から手洗い鉢へ吐水を行う手洗い付き洗浄装置に関する。
【背景技術】
【０００２】
従来、手洗い付き洗浄装置として、例えば特許文献１に記載のものが知られている。
この手洗い付き洗浄装置は、図６に示すように、外タンク１００と、外タンク１００の内側に配置される内タンク１０１と、外タンク１００の上部に配置される手洗い鉢１０３と、手洗い鉢１０３に配置される手洗い吐水管１０４と、を有している。内タンク１０１内に配置されるボールタップ１０５から上方に延びる給水管１０６の端部１０６ａは、パッキン１０７を介して手洗い吐水管１０４の下端部１０４ａ内に挿入されている。これにより、ボールタップ１０５から供給される水の一部が、給水管１０６を通って手洗い吐水管１０４に供給され、手洗い吐水管１０４の吐水口１０４ｂから手洗い鉢１０３に向けて吐出されるようになっている。
【先行技術文献】
【特許文献】
【０００３】
【特許文献１】特開２０１２−１７７２５９号公報
【発明の概要】
【発明が解決しようとする課題】
【０００４】
一般に、手洗い鉢１０３は外タンク１００の上部に載置されるため、手洗い鉢１０３が外タンク１００に対して位置ずれを起こす場合がある。このとき、手洗い吐水管１０４と給水管１０６との間を水密状に接続しているパッキン１０７に大きな負荷が掛かると、パッキン１０７が変形し、手洗い吐水管１０４と給水管１０６との間から漏水するおそれがある。手洗い吐水管１０４と給水管１０６との間から漏水すると、図６中の矢印で示すように、外タンク１００と内タンク１０１との間に水が流れ込み、外タンク１００の底部に設けられた給水ホースの挿通孔から外部に漏れ出る懸念がある。
【０００５】
そこで、本発明は、手洗い吐水管と給水管との間から漏水が生じても、内タンクと外タンクとの間に流れ込むことがなく、タンク外部への漏水を防止できる手洗い付き洗浄装置を提供することを目的とする。
【課題を解決するための手段】
【０００６】
（１）  本発明に係る手洗い付き洗浄装置は、上部が開口した外タンク（例えば、後述の外タンク２１）と、前記外タンクの前記開口を覆うように配置される手洗い鉢（例えば、後述の手洗い鉢３）と、前記手洗い鉢に配置され、前記手洗い鉢へ手洗い用の水を吐出する手洗い吐水管（例えば、後述の手洗い吐水管４）と、前記外タンク内に配置され、洗浄水を貯留すると共に上部が開口した内タンク（例えば、後述の内タンク２２）と、前記内タンクから前記手洗い吐水管へ水を供給する給水管（例えば、後述の給水管７）と、を有し、前記給水管が、前記手洗い吐水管の内部に挿入されて接続される手洗い付き洗浄装置（例えば、後述の手洗い付き洗浄装置１）であって、前記内タンクの内側に、前記手洗い吐水管と前記給水管との間からの漏水を受けて前記内タンクに流入させる水受け壁部（例えば、後述の水受け壁部８２の後壁部８２２）が配置され、前記水受け壁部の上端（例えば、後述の上端８２２ａ）は、前記内タンクの上端（例えば、後述の上端２２ａ）よりも上方に配置されると共に、前記内タンクよりも平面方向の外側に張り出すように配置される。
【０００７】
（２）  （１）に記載の手洗い付き洗浄装置において、前記給水管は、蛇腹部（例えば、後述の大蛇腹部７３）を有し、前記水受け壁部の前記上端は、前記蛇腹部の上端（例えば、後述の上端７３ａ）と同一又は前記蛇腹部の上端よりも上方に配置されることが好ましい。
【０００８】
（３）  （１）又は（２）に記載の手洗い付き洗浄装置において、前記水受け壁部は、前記内タンクの平面方向の外側に向けて広がるテーパー状に形成され、前記内タンクの側壁部（例えば、後述の側壁部２２１）と上下方向で重なっていることが好ましい。
【０００９】
（４）  （１）〜（３）のいずれかに記載の手洗い付き洗浄装置において、前記内タンクは、前記内タンクの前記開口を覆う蓋体（例えば、後述の蓋体２３）を有し、前記蓋体は給水管挿通穴（例えば、後述の第２開口部２３２）を有し、前記給水管挿通穴に前記給水管が挿通され、前記水受け壁部は、前記給水管挿通穴に取り付けられていることが好ましい。
【００１０】
（５）  本発明に係る手洗い付き洗浄装置は、上部が開口した外タンク（例えば、後述の外タンク２１）と、前記外タンクの前記開口を覆うように配置される手洗い鉢（例えば、後述の手洗い鉢３）と、前記手洗い鉢に配置され、前記手洗い鉢へ手洗い用の水を吐出する手洗い吐水管（例えば、後述の手洗い吐水管４）と、前記外タンクの内部に配置され、洗浄水を貯留すると共に上部が開口した内タンク（例えば、後述の内タンク２２）と、前記内タンクの内側から前記手洗い吐水管へ水を供給する給水管（例えば、後述の給水管７）と、を有し、前記給水管が、前記手洗い吐水管の内部に挿入されて接続される手洗い付き洗浄装置（例えば、後述の手洗い付き洗浄装置１）であって、前記内タンクの内側に、前記手洗い吐水管と前記給水管との間からの漏水を受けて前記内タンクに流入させる水受け部材が配置され、前記給水管は、蛇腹部（例えば、後述の大蛇腹部７３）を有し、前記水受け部材の上端は、前記蛇腹部の上端（例えば、後述の上端７３ａ）と同一又は前記蛇腹部の上端よりも上方に配置される。
【発明の効果】
【００１１】
本発明によれば、手洗い吐水管と給水管との間から漏水が生じても、内タンクと外タンクとの間に流れ込むことがなく、タンク外部への漏水を防止できる手洗い付き洗浄装置を提供することができる。
【図面の簡単な説明】
【００１２】
【図１】本発明に係る手洗い付き洗浄装置の一実施形態を示す斜視図である。
【図２】図１に示す手洗い付き洗浄装置の手洗い鉢を取り外した状態を示す斜視図である。
【図３】図１に示す手洗い付き洗浄装置の手洗い鉢を取り外した状態を示す平面図である。
【図４】図１に示す手洗い付き洗浄装置を図３中のＡ−Ａ線に沿って切断した断面図である。
【図５】図１に示す手洗い付き洗浄装置の蓋体と水受け部材とを示す斜視図である。
【図６】従来の手洗い付き洗浄装置を示す要部断面図である。
【発明を実施するための形態】
【００１３】
以下、本発明の一実施形態について図面を参照しながら詳しく説明する。図１は、本発明に係る手洗い付き洗浄装置（以下、単に洗浄装置という。）の一実施形態を示す斜視図である。図２は、図１に示す洗浄装置の手洗い鉢を取り外した状態を示す斜視図である。図３は、図１に示す洗浄装置の手洗い鉢を取り外した状態を示す平面図である。図４は、図１に示す洗浄装置を図３中のＡ−Ａ線に沿って切断した断面図である。図５は、図１に示す洗浄装置の蓋体と水受け部材とを示す斜視図である。
【００１４】
洗浄装置１は、便器（図示せず）の後方に配置され、内部に貯留される洗浄水を便器に流すと共に、上部から手洗い用の吐水を行うように構成される。この洗浄装置１は、主として、タンク本体２と、手洗い鉢３と、手洗い吐水管４と、ボールタップ５と、給水ホース６と、給水管７と、水受け部材８と、を有する。なお、本明細書において、洗浄装置１から見て便器に着座する使用者の側（図３における左側）を「前」とし、その反対側（図３における右側）を「後」とする。
【００１５】
タンク本体２は、図１に示すように、外タンク２１と、外タンク２１の内部に配置される内タンク２２と、を有する二重式のタンクからなる。外タンク２１及び内タンク２２の上部は、いずれも開口するように形成される。
外タンク２１は、洗浄装置１の外形を形成する。外タンク２１は、例えば陶器や樹脂により構成される。
内タンク２２は、例えば樹脂により構成され、内部に洗浄水を貯留する。外タンク２１と内タンク２２とは接しておらず、所定の間隙が設けられている。また、図４に示すように、内タンク２２の上端２２ａは、外タンク２１の上端２１ａよりも下方に配置されている。
【００１６】
内タンク２２の内部に、ボールタップ５が配置される。ボールタップ５は、外タンク２１の底部に形成された貫通穴２１１から外タンク２１と内タンク２２との間に挿通される給水ホース６の端部に、内タンク２２の外部で接続され、給水ホース６からの給水を受けるように構成される。ボールタップ５は、洗浄水の水位に応じて上下するフロート５１によって開閉される。ボールタップ５は、水位の低下に応じてフロート５１が下降することにより開弁し、給水部５２の先端の給水口５２１から内タンク２２の内部に給水して洗浄水として貯留すると共に、水位の上昇に応じてフロートが上昇することにより閉弁し、給水を停止させる従来公知のものである。
【００１７】
なお、内タンク２２の内部には、その他に、図示しないが、外タンク２１の側部に設けられた操作レバー２１２の回動操作によって開弁し、タンク本体２の底部から便器に洗浄水を流すフラッパー弁、内タンク２２内の洗浄水の水位を規制するオーバーフロー管等の従来公知の内部部品が設けられる。
【００１８】
内タンク２２の上部には、図２〜図４に示すように、内タンク２２の開口を塞ぐように蓋体２３が着脱可能に設けられる。蓋体２３は、例えば樹脂によって、内タンク２２の開口と同じ平面形状を有するように構成される。図４に示すように、内タンク２２の上部に取り付けられた蓋体２３は、外タンク２１の上端２１ａよりも下方に配置される。
【００１９】
蓋体２３の略中央部には、内タンク２２の内部と連通する第１開口部２３１を有すると共に、第１開口部２３１よりも後方側には、第２開口部２３２を有する。第１開口部２３１と第２開口部２３２との間の蓋体２３の上面２３ａには、緩衝部材２３３が設けられる。緩衝部材２３３は、後述する手洗い鉢３の下面を受けて弾性的に支持すると共に、手洗い鉢３から蓋体２３の第１開口部２３１に排水される手洗い用の水が、第１開口部２３１よりも後方側に流れないように止水する機能を有する。
【００２０】
手洗い鉢３は、外タンク２１の上部に、外タンク２１の開口を塞ぐように配置される。手洗い鉢３は、上面の略中央部が窪んだ形状を有し、その窪んだ略中央部に排水口３１を有する。排水口３１は、蓋体２３の第１開口部２３１内に臨んでいる。手洗い鉢３は、後述する手洗い吐水管４から吐水された手洗い用の水を受け、排水口３１から蓋体２３の第１開口部２３１を通って内タンク２２の内部へ排水する。手洗い鉢３は、外タンク２１と同様の陶器又は樹脂により構成される。
【００２１】
手洗い吐水管４は、手洗い鉢３の後部上面に取り付けられる。手洗い吐水管４の先端側は前方に向けて延び、その先端の下面に配置される吐水口４１から手洗い鉢３に向けて手洗い用の吐水を行うように構成される。手洗い吐水管４の基部４２は、手洗い鉢３の上面を貫通して略垂直下方に延び、手洗い鉢３に対して座付きナット３２により取り付けられている。
【００２２】
図４に示すように、本実施形態に示す手洗い吐水管４の基部４２の下端４２ａは、外タンク２１の上端２１ａと当接する手洗い鉢３の下端周縁部３ａよりも僅かに上方に配置される。また、手洗い吐水管４の基部４２の下端４２ａは、手洗い鉢３が外タンク２１の上部に適正に載置された状態で、内タンク２２の後部内側、具体的には、内タンク２２の後部側の側壁部２２１よりも内側（前方側）に配置される。
【００２３】
給水管７は、手洗い吐水管４に手洗い水を供給するための可撓性を有する配管からなる。給水管７は、内タンク２２の内側に、ボールタップ５の給水部５２と手洗い吐水管４の基部４２とに亘って配置される。給水管７の一端は、ボールタップ５の給水部５２の途中に分岐するように接続される。給水管７の他端は、図４に示すように、蓋体２３の第２開口部２３２を貫通し、内タンク２２の上方に向けて略垂直に立ち上げられている。従って、この第２開口部２３２は、本発明の「給水管挿通穴」に対応する。
【００２４】
給水管７の他端は、外タンク２１の上端２１ａよりも更に上方に延びている。給水管７の他端は、外周面に設けられたパッキン７１によって、手洗い鉢３に設けられた手洗い吐水管４の基部４２内に水密状に挿入される。これにより、洗浄装置１は、ボールタップ５から供給される水の一部が給水部５２から分水され、給水管７を介して手洗い吐水管４の吐水口４１から吐水されるように構成される。
【００２５】
図４に示すように、給水管７において略垂直に立ち上げられた部位は、小蛇腹部７２及び大蛇腹部７３を有する。小蛇腹部７２は、給水管７におけるパッキン７１の直下であって、手洗い吐水管４の基部４２内に配置される部位に設けられる。大蛇腹部７３は、小蛇腹部７２の下端に連続して、小蛇腹部７２から内タンク２２の上端２２ａよりも僅かに上方の位置に亘って設けられる。給水管７は、手洗い鉢３が外タンク２１に対して位置ずれを起こした際に、主として大蛇腹部７３が手洗い鉢３の位置ずれに追従して容易に撓むように構成される。
【００２６】
蓋体２３の第２開口部２３２の後部側には、図３及び図５に示すように、給水管保持溝２３４が設けられる。給水管保持溝２３４は、第２開口部２３２と連通し、第２開口部２３２から後方に向けて略Ｕ字状に切り欠かれるように形成される。給水管保持溝２３４の幅は、給水管７の大蛇腹部７３よりも下部７４の外径に対して僅かに狭くなるように形成される。これにより、給水管保持溝２３４は、第２開口部２３２を貫通して立ち上げられる給水管７の大蛇腹部７３よりも下部７４を嵌合して保持する。蓋体２３の上面２３ａにおいて、給水管保持溝２３４が設けられる部位は、第２開口部２３２の前方側の平面視円弧状の周縁部２３２ａよりも一段下がって配置される。これにより、蓋体２３の上面２３ａには、第２開口部２３２の前方側の周縁部２３２ａと連続する平面視矩形状の凹部２３５が形成される。周縁部２３２ａよりも一段下がった部位は、後述する水受け部材８の下面８ａを支持する平坦な支持面２３５ａを構成する。給水管保持溝２３４は、この支持面２３５ａを略Ｕ字状に切り欠くように形成される。なお、図５において、蓋体２３の上面２３ａに設けられる緩衝部材２３３の図示は省略した。
【００２７】
水受け部材８は、蓋体２３と別体に形成され、蓋体２３の第２開口部２３２に配置される。本実施形態に示す水受け部材８は樹脂によって形成され、蓋体２３の第２開口部２３２の周縁部２３２ａ及び凹部２３５の形状と同様に、前方側が平面視円弧状で後方側が平面視矩形状に形成された筒部８１と、この筒部８１の全周に亘って筒部８１から上方に向けて立ち上がるように一体に形成された水受け壁部８２と、を有する。筒部８１の後部側に配置される後壁部８１ａの下端には、図４及び図５に示すように、前方に向けて下り傾斜する下テーパー面８１ｂが一体に設けられている。手洗い吐水管４の基部４２の下端４２ａは、この水受け部材８の内側に対向するように配置されている。
【００２８】
本実施形態に示す水受け部材８は、給水管７を内側に挿通させて、蓋体２３の第２開口部２３２の周縁部２３２ａ及び凹部２３５に対して嵌合することにより蓋体２３に取り付けられる。図５に示すように、凹部２３５には、水受け部材８の筒部８１の後壁部８１ａに対応して上下方向に略垂直に延びる立壁面２３５ｂと、この立壁面２３５ｂの下端に一体に設けられ、水受け部材８の筒部８１の下テーパー面８１ｂに対応して前方に向けて下り傾斜するテーパー面２３５ｃと、を有する。従って、水受け部材８が蓋体２３に取り付けられることにより、水受け部材８の下面８ａは、凹部２３５の底面である支持面２３５ａに支持されると共に、水受け部材８の筒部８１の後壁部８１ａは、凹部２３５の立壁面２３５ｂに沿って配置され、水受け部材８の筒部８１の下テーパー面８１ｂは、凹部２３５のテーパー面２３５ｃに沿って配置される。
【００２９】
これにより、給水管７から所定の距離をおいて、筒部８１及び水受け壁部８２が給水管７の全周を取り囲むように配置される。水受け部材８は、給水管７を壁状に取り囲むだけであるため、給水管７と干渉することはなく、第２開口部２３２及び凹部２３５を閉塞することもない。水受け部材８の筒部８１の後部側は、図３及び図４に示すように、蓋体２３の後端部２３ｂに可及的に近接するように配置される。
【００３０】
水受け部材８の水受け壁部８２は、図３及び図５に示すように、平面視Ｕ字状に形成されるＵ字壁部８２１と、このＵ字壁部８２１の開放側である後端部に連結され、蓋体２３の後端部２３ｂと略平行に平面視直線状に延びる後壁部８２２と、で構成される。Ｕ字壁部８２１と後壁部８２２との筒部８１からの突出高さは同一とされている。
【００３１】
本実施形態に示す水受け壁部８２は、蓋体２３に取り付けられた状態で、図４に示すように、蓋体２３の上面２３ａよりも上方に突出するように配置される。即ち、水受け壁部８２の上端８２ａは、内タンク２２の上端２２ａ（内タンク２２の後部側の側壁部２２１の上端２２ａ）よりも上方に配置される。一方、水受け壁部８２の上端８２ａは、外タンク２１よりも上方に突出せず、外タンク２１の上端２１ａよりも下方に配置される。このため、蓋体２３に取り付けられた水受け部材８が、外タンク２１の上部に載置された手洗い鉢３及び手洗い吐水管４の基部４２の下端４２ａと干渉するおそれはない。しかし、本発明は、水受け部材８が手洗い鉢３及び手洗い吐水管４の基部４２の下端４２ａと干渉することを排除するものではない。
【００３２】
水受け壁部８２のうちの後壁部８２２は、蓋体２３の上面２３ａにおいて、給水管７と外タンク２１との間に配置される。水受け壁部８２の上端８２ａのうちの後壁部８２２の上端８２２ａは、図４に示すように、内タンク２２よりも平面方向（図４における左右方向）の外側（図４における右側）に張り出すように配置され、外タンク２１の内面２１ｂに近接している。
【００３３】
これにより、この洗浄装置１は、万が一、手洗い吐水管４の基部４２と給水管７との間から漏水し、その漏水が基部４２の内面又は給水管７の外面を伝って流下しても、図４中の矢印で示すように、水受け部材８の水受け壁部８２の内面で受けることができる。水受け壁部８２の内面で受けた水は、水受け壁部８２から筒部８１の内側の後壁部８１ａ及び下テーパー面８１ｂを通って流下し、第２開口部２３２から内タンク２２の内部に流入する。特に、水受け壁部８２の後壁部８２２の上端８２２ａは、内タンク２２よりも平面方向の外側に張り出すように配置されるため、内タンク２２よりも外側（後方側、外タンク２１側）に向けて流下する漏水を効果的に受けることができる。このため、漏水が外タンク２１と内タンク２２との間に流れ込むおそれがなく、外タンク２１からタンク外部へ漏水することが防止される。
【００３４】
しかも、本実施形態に示す水受け部材８は、給水管７と干渉することなく蓋体２３に配置されているため、手洗い鉢３の位置ずれによって給水管７が前後方向又は左右方向に撓み変形した場合でも、外タンク２１及び内タンク２２に対して常に一定の位置を保つことができる。その結果、水受け部材８が外タンク２１と干渉するおそれはなく、外タンク２１側に向かう漏水を確実に第２開口部２３２に流入させることができる。
【００３５】
本実施形態に示す水受け壁部８２の上端８２ａは、図４に示すように、給水管７の大蛇腹部７３の上端７３ａと同一又は大蛇腹部７３の上端７３ａよりも上方に配置される。ここで、大蛇腹部７３の上端７３ａとは、大蛇腹部７３の最も上方に配置される大径部の位置である。水受け壁部８２の上端８２ａが、この大蛇腹部７３の上端７３ａと同一又は大蛇腹部７３の上端７３ａよりも上方に配置されることにより、給水管７の大蛇腹部７３の外面の傾斜に沿って後方側（外タンク２１側）に向けて流れる漏水をも水受け壁部８２の後壁部８２２で確実に受け止めることができる。
【００３６】
また、本実施形態に示す水受け壁部８２の後壁部８２２は、図４及び図５に示すように、内タンク２２の平面方向の外側（後方側、外タンク２１側）に向けて広がるテーパー状に形成された上テーパー面８２２ｂを構成している。上テーパー面８２２ｂを構成する後壁部８２２は、内タンク２２の後部側の側壁部２２１と上下方向で重なるように配置されている。即ち、後壁部８２２は、内タンク２２の上端２２ａと上下方向で重なるように外タンク２１に向けて傾斜している。このため、後壁部８２２で受けた漏水を円滑に筒部８１に流下させることができる。しかし、水受け壁部８２の後壁部８２２は、内タンク２２の上端２２ａよりも上方に配置されると共に内タンク２２よりも平面方向の外側に張り出すように配置されるものであれば、テーパー状に形成されるものに限らず、例えば階段状や湾曲状に形成されてもよい。
【００３７】
本実施形態に示す水受け壁部８２の後壁部８２２は、筒部８１から上端８２２ａに向かうに従って幅広となるように形成されている。このため、この後壁部８２２と連結されるＵ字壁部８２１は、後壁部８２２に近づくに従って左右に広がるように形成され、その結果、水受け部材８は上方に向けて拡開する形状とされる。これにより、手洗い吐水管４の基部４２が手洗い鉢３の下端周縁部３ａよりも下方に突出するような場合でも、水受け部材８が手洗い吐水管４の基部４２と干渉することを回避できる。
【００３８】
水受け部材８の水受け壁部８２は、給水管７の全周を取り囲むように形成されるものに限らない。水受け壁部８２は、外タンク２１側に向けて流れる漏水を受けることができればよい。従って、水受け部材８の水受け壁部８２は、少なくとも給水管７の外タンク２１側に配置される後壁部８２２の部位があればよい。
【００３９】
また、本実施形態に示す水受け壁部８２は、蓋体２３と別体に形成される水受け部材８に設けられるため、漏水を受けるために最適な任意の形状に形成することが容易である利点を有する。しかし、水受け壁部８２は、蓋体２３と別体の水受け部材８に設けられるものに限らず、蓋体２３の上面２３ａに一体に形成されていてもよい。
【００４０】
更に、手洗い吐水管４及び給水管７は、本実施形態に示すように洗浄装置１の後部寄りに配置されるものに限らない。手洗い吐水管４及び給水管７は、例えば洗浄装置１の左右いずれかの側部寄りに配置されてもよい。この場合、水受け壁部８２の後壁部８２２と同様の構成を有する水受け壁部は、外タンク２１の左右いずれかの側部に向かう漏水を受けることができるように、外タンク２１の左右いずれかの側部寄りの部位に配置される。
また、給水管７の上方に立ち上がる部位は、蛇腹部を有するものに限らず、蛇腹部を有しない可撓管であってもよい。
【００４１】
なお、図示しないが、水受け部材は、手洗い吐水管４の基部４２の下端４２ａに取り付けられてもよい。このような水受け部材は、手洗い吐水管４の基部４２に挿入された給水管７の外周を取り囲むように、手洗い吐水管４の基部４２の下端４２ａに取り付け（螺合）される。即ち、この場合の手洗い吐水管４は、水受け部材によって下方に延長される。この水受け部材の下端を蓋体２３の裏側まで貫通させて、又は、蓋体２３に嵌合させて、内タンク２２の内側に臨ませることにより、手洗い吐水管４の基部４２と給水管７との間からの漏水を内タンク２２に流入させることができる。この水受け部材は、直管（延長パイプ）により構成してもよいし、蛇腹管により構成してもよい。また、この水受け部材は、手洗い吐水管４を手洗い鉢３に取り付けている座付きナット３２を下方に延長させることによって構成してもよい。
【符号の説明】
【００４２】
１  手洗い付き洗浄装置
２１  外タンク
２２  内タンク
２２ａ  （内タンクの）上端
２２１  （内タンクの）側壁部
２３  蓋体
２３２  第２開口部（給水管挿通穴）
３  手洗い鉢
４  手洗い吐水管
７  給水管
８  水受け部材
８２  水受け壁部
８２ａ  （水受け壁部の）上端
８２２  （水受け壁部の）後壁部
８２２ａ  （後壁部の）上端
７３  大蛇腹部（蛇腹部）
７３ａ  （大蛇腹部の）上端
【図１】
2019210705.tif 000003
【図２】
2019210705.tif 000004
【図３】
2019210705.tif 000005
【図４】
2019210705.tif 000006
【図５】
2019210705.tif 000007
【図６】
2019210705.tif 000008